(57)【要約】【課題】梱包装置の開梱時に、製品のキズ付きを防止できる梱包装置を提供することを課題とする。【解決手段】調理器本体１及び付属部品（蓋）４を緩衝体５、６を介して梱包箱７内に収納し、前記梱包箱７の開口を各々一対の内フラップ及び外フラップ９にて閉成する調理器の梱包装置において、一方の外フラップ９の遊端に、他方外フラップ９と重合する重合片１０を形成し、該重合片１０を調理器本体１もしくは付属部品（蓋）４の緩衝体５、６上面に露出する部分に当接させた。【選択図】　　　　　図２
2004090933.tif 000002
【特許請求の範囲】
【請求項１】
調理器本体及び付属部品を緩衝体を介して梱包箱内に収納し、前記梱包箱の開口を各々一対の内フラップ及び外フラップにて閉成する調理器の梱包装置において、前記外フラップの一方の遊端に、他方外フラップと重合する重合片を形成したことを特徴とする調理器の梱包装置。
【請求項２】
調理器本体及び付属部品を緩衝体を介して梱包箱内に収納し、前記梱包箱の開口を各々一対の内フラップ及び外フラップにて閉成する調理器の梱包装置において、前記外フラップの一方の遊端に、他方外フラップと重合する重合片を形成するとともに、前記重合片を、前記調理器本体もしくは付属部品の前記緩衝体上面に露出する部分に当接させることを特徴とする調理器の梱包装置。
【請求項３】
前記重合片の幅は、少なくとも内フラップの遊端間の寸法と略同一としたことを特徴とする請求項１または請求項２に記載の調理器の梱包装置。
【請求項４】
前記重合片を、前記外フラップの全幅にわたって形成したことを特徴とする請求項１または請求項２のいずれかに記載の調理器の梱包装置。
【発明の詳細な説明】
【０００１】
【発明の属する技術分野】
本発明は、ミキサー等の調理器の梱包装置に関する。
【０００２】
【従来の技術】
従来、ミキサー等の調理器の梱包装置は、図４に示すごとく、梱包箱２０内に下緩衝体２１を介して調理器本体、ボトル等を収納し、これら調理器本体、ボトル等の上部に上緩衝体を載置するとともに、この上緩衝体上に、調理器使用時にボトルに着脱自在に装着する蓋２２等を載置して梱包している。
【０００３】
このような梱包装置は、梱包箱の上面を閉成するフラップ２３をテープＡ等にて固定して出荷されるが、製品購入者が梱包装置を開梱する際、梱包箱のテープＡをカッターＢ等の刃物にて切る場合、カッターを深く入れると刃が調理器の蓋２２に当接して製品にキズが付くおそれがあった。
【０００４】
【発明が解決しようとする課題】
本発明は上記欠点に鑑みなされたもので、梱包装置の開梱時に、製品のキズ付きを防止できる梱包装置を提供することを課題とする。
【０００５】
【課題を解決するための手段】
本発明は、調理器本体及び付属部品を緩衝体を介して梱包箱内に収納し、前記梱包箱の開口を各々一対の内フラップ及び外フラップにて閉成する調理器の梱包装置において、前記外フラップの一方の遊端に、他方外フラップと重合する重合片を形成したことを特徴とする。
【０００６】
また、本発明は、調理器本体及び付属部品を緩衝体を介して梱包箱内に収納し、前記梱包箱の開口を各々一対の内フラップ及び外フラップにて閉成する調理器の梱包装置において、前記外フラップの一方の遊端に、他方外フラップと重合する重合片を形成するとともに、前記重合片を、前記調理器本体もしくは付属部品の前記緩衝体上面に露出する部分に当接させることを特徴とする。
【０００７】
前記重合片の幅は、少なくとも内フラップの遊端間の寸法と略同一とすることが望ましい。
【０００８】
また、前記重合片を、前記外フラップの全幅にわたって形成してもよい。
【０００９】
【発明の実施の形態】
本発明の実施の形態を図面に基づいて以下に説明する。
【００１０】
１は調理器本体で、図示しない電動機を内蔵するとともに、該調理器本体１上面に前記電動機の回転軸に取り付けられた図示しないジョイント部材を配設している。
【００１１】
２は前記調理器本体１に載置されるボトル台で、該ボトル台２に材料を切削する図示しないカッターが配設されるとともに、該ボトル台２にガラス製のボトル３が着脱自在に装着されている。
【００１２】
４は、調理器の使用中、前記ボトル３の上面開口に着脱自在に装着される樹脂製の蓋である。
【００１３】
５は後述する梱包箱７底部に配設される発泡材製の下緩衝体で、該下緩衝体５に前記調理器本体１及びボトル３を載置するようになっている。
【００１４】
６は前記調理器本体１及びボトル３上に載置される発泡材製の上緩衝体で、該上緩衝体６の上部に前記蓋４を載置するようになっている。
【００１５】
７は段ボール製の梱包箱で、該梱包箱７の上面開口縁に一体形成された各々一対の内フラップ８、外フラップ９を折り曲げることにより閉成するようになっている。
【００１６】
１０は前記外フラップ９の一方の遊端に形成された重合片で、前記内フラップ８及び外フラップ９を折り曲げて梱包箱７を閉成した際に、該重合片１０と他方の外フラップ９の遊端部が重合し、開梱時に、前記外フラップ９の接合部に貼着されたテープをカッター等の刃物にて切る場合でも、カッターの刃先が重合片１０に当接するため、梱包箱７内の製品を傷つけるのを防止するようになっている。
【００１７】
前記重合片１０は、梱包箱７内の上緩衝体６上に露出する部品（もしくは部分）、即ち本実施の形態では蓋４に当接するようになっており、梱包装置の移送時に、部品のガタツキを防止できるようになっている。
【００１８】
而して梱包する際は、梱包箱７に下緩衝体５を挿入し、調理器本体１及びボトル台２に装着したボトル３（倒立状態）を載置するとともに、これら調理器本体１及びボトル台２上に上緩衝体６を載置する。
【００１９】
そして上緩衝体６上に蓋４を載置して、内フラップ８、及び外フラップ９を順次折り曲げ、外フラップ９の接合部をテープにて貼着して梱包を完了する。この時、外フラップ９の一方に形成した重合片１０を他方の外フラップ９の下になるように重合させることにより、重合片１０が相対向する内フラップ８の遊端間に位置して、梱包装置の開梱時に、外フラップ９の接合部にカッターを挿入してもカッターの刃が直接梱包物に対向することがなく、梱包物を傷つけることがないとともに、重合片１０が蓋４に当接して、梱包装置の移送時の蓋４のガタツキを防止する。
【００２０】
尚、上記実施の形態では、前記重合片１０の幅寸法は、相対向する内フラップ８の遊端間の寸法と略同一寸法に形成されており、重合片１０が外フラップ９と梱包箱７内の製品とが直接対向する部分に位置するため、開梱時に製品の傷つきを確実に防止できるようになっているが、前記重合片１０を外フラップ９の全幅にわたって形成してもよく、この場合、開梱時にカッター等の刃物を使用する際に、カッターの刃先が梱包物に当接することがなく梱包物の傷つきをより確実に防止できるとともに、カッターを外フラップ９の幅方向に移動させても段差がなく、より容易に作業することができる。
【００２１】
【発明の効果】
本発明の請求項１によると、梱包状態において、一方の外フラップに形成した重合片が他方の外フラップと重合した状態で固定されており、製品の購入者が開梱時にカッター等を使用して外フラップの接合部に貼着されたテープを切る場合でも、カッターの刃先が重合片に当接するため、梱包物に直接接触して傷つけるのを防止できる。
【００２２】
また、本発明の請求項２によると、梱包状態において、一方の外フラップに形成した重合片が他方の外フラップと重合した状態で固定されており、製品の購入者が開梱時にカッター等を使用して外フラップの接合部に貼着されたテープを切る場合でも、カッターの刃先が重合片に当接するため、梱包物に直接接触して傷つけるのを防止できるとともに、重合片を、梱包物及び付属部品の、緩衝体上に露出する部分に当接させることにより、梱包装置の移送時に梱包物や付属部品のガタツキを防止できる。
【００２３】
さらに、本発明の請求項３によると、重合片の幅を、少なくとも内フラップの遊端間の寸法と略同一とすることにより、重合片が、外フラップの接合部と梱包箱内の製品とが直接対向する部分に位置するため、開梱時に製品の傷つきを確実に防止できる。
【００２４】
また、本発明の請求項４によると、重合片を、外フラップの全幅のわたって形成することにより、開梱時にカッター等の刃物を使用する際に、カッターの刃先が梱包物に当接することがなく梱包物の傷つきをより確実に防止できるとともに、カッターを外フラップの幅方向に移動させても段差がなく、より容易に作業することができる。
【図面の簡単な説明】
【図１】本発明の実施の形態を示す調理器の梱包装置の分解斜視図である。
【図２】同梱包装置の要部拡大断面図である。
【図３】同梱包装置の外フラップ固定前の状態を示す斜視図である。
【図４】従来の梱包装置の要部拡大断面図である。
【符号の説明】
１　　　　　調理器本体
４　　　　　蓋（付属部品）
５　　　　　下緩衝体
６　　　　　上緩衝体
７　　　　　梱包箱
８　　　　　内フラップ
９　　　　　外フラップ
１０　　　　重合片
【図１】
2004090933.tif 000003
【図２】
2004090933.tif 000004
【図３】
2004090933.tif 000005
【図４】
2004090933.tif 000006